(57)【要約】【課題】ＶＡ方式の液晶表示装置において、従来のＢＭパターンでも光透過率を上げることが可能となるカラーフィルタを提供する。また、パネルを組んだときに輝度アップする、液晶配向乱れのない表示特性良好なＶＡ方式の液晶表示装置を提供する。【解決手段】複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、前記第２の基板としてBMで区画されるそれぞれの位置に多色化された着色画素開口部を有し、液晶の配向を規制する為の配向規制手段として共通電極に複数のスリットを設けてある液晶表示装置用カラーフィルタにおいて、前記スリットが、前記BM上と前記着色画素開口部に跨設されている。【選択図】図３
2010128045.tif 000002
【特許請求の範囲】
【請求項１】
複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、
前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、
前記スリットが、前記BM上と前記着色画素開口部に跨設されていることを特徴とするカラーフィルタ。
【請求項２】
複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、
前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、
前記スリットが、前記BM上に配設されていることを特徴とするカラーフィルタ。
【請求項３】
複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、
前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、
前記スリットが、前記BM上にパターニングされた状態で配設されていることを特徴とするカラーフィルタ。
【請求項４】
複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、
前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、
前記スリットが、前記BM上と前記着色画素開口部にパターニングされた状態で跨設されていることを特徴とするカラーフィルタ。
【請求項５】
請求項１〜４のいずれか1項に記載するカラーフィルタであって、前記スリットが、前記着色画素開口部を取り囲む4辺のBM上に配置され、かつ、BM交点の4隅の１〜４箇所に、前記第１の基板と第２の基板の挟持間隔（セルギャップ）を保持するためのスペーサが配置されていることを特徴とするカラーフィルタ。
【請求項６】
請求項１〜５のいずれか１項に記載するカラーフィルタを具備することを特徴とする液晶表示装置。
【請求項７】
前記第１の基板の画素電極の画素中央部に、第２の基板のBMの辺に対して４５度の傾き
で直交するパターンの、斜めスリットを有することを特徴とする、請求項６に記載する液晶表示装置。
【発明の詳細な説明】
【技術分野】
【０００１】
本発明は、カラーフィルタ及びそれを備えた液晶表示装置に関し、特に、ＶＡ（Ｖｅｒｔｉｃａｌｌｙ  Ａｌｉｇｎｅｄ）方式の液晶表示装置に好適なカラーフィルタ及び液晶表示装置に関する。
【背景技術】
【０００２】
一般に液晶表示装置は、薄型軽量、低消費電力等の特徴があり、特に、ＴＦＴ（Ｔｈｉｎ  Ｆｉｌｍ  Ｔｒａｎｓｉｓｔｏｒ）型の液晶表示装置は、従来のパソコン用モニターの用途だけでなく、通常のカラーテレビとしての用途、携帯電話などのモバイル用途、車載用途等、多種多様な用途においての需要が高まっている。この液晶表示装置に使用する液晶表示パネルとして、ＶＡ（Ｖｅｒｔｉｃａｌｌｙ  Ａｌｉｇｎｅｄ）方式の液晶表示パネルが、広視野角を保ちながら応答が早い液晶表示方式として、広く知られている。
【０００３】
図１に、液晶の駆動方式のうち、現在広く使われているＴＮ（Ｔｗｉｓｔｅｄ  Ｎｅｍａｔｉｃ）方式、ＶＡ方式、ＩＰＳ（Ｉｎ−Ｐｌａｎｅ  Ｓｗｉｔｃｈｉｎｇ）方式を説明する概念図を示す。この中で、ＶＡ方式の液晶表示パネルは、複数の例えばＩＴＯ画素電極からなる透過部が形成されている第１の基板のＴＦＴアレイ基板と、該複数の画素電極に対向する共通電極が形成されている第２のカラーフィルタ基板との間に、電界が印加されていない初期配向状態が垂直配向を呈する誘電異方性が負の液晶を封入して構成されるものである。
【０００４】
双方の基板の電極層の上には、配向膜が設けられており、共に垂直配向処理が施され、電極に電場を印加しないときは、液晶分子は垂直に配列している。また、両基板の外側には位相差フィルムを構成に含む偏光板がクロスニコル配置されている。そして画素電極と共通電極の間に電界が印加されていないときは基板間の液晶分子が垂直に配列しているので、一方の偏光板を通過した直線偏光の透過光がそのまま液晶層を通過して他方の偏光板によって遮られ、暗状態すなわち黒表示となる。また、画素電極と共通電極の間に電界が印加されたときは、基板間の液晶分子が水平に配列するので、一方の偏光板を通過した直線偏光の透過光は液晶層を通過するときに複屈折され楕円偏光の通過光になり、他方の偏光板を通過し、明状態すなわち白表示となる。
【０００５】
ここで、第２の基板としてのカラーフィルタは、一般に、透明基板を構造的支持体として備え、その画面観察者側には偏光膜が積層されている。また、その反対側（背面側）は多数の画素領域に区分されている。画素領域と画素領域の境界に位置する画素間部位には有機樹脂に黒色色材を分散させたブラックマトリクスが設けられ、画素領域のそれぞれには着色画素が配置されている。ブラックマトリクスは、コントラスト向上の目的で着色画素間に配設する。着色画素は、画素ごとに透過光を着色するもので、一般に、光の三原色に相当する赤色（Ｒ），緑色（Ｇ），青色（Ｂ）の三色の着色画素を配列している。なお、ブラックマトリクスは、これら各色に着色された透過光の混色を防止するものである。
【０００６】
ところで、従来広く使われているＶＡ方式では、電界が印加されていないときに全ての液晶分子は配向膜上に垂直に完全に立った状態で整列するが、電界が印加されたときは、各液晶分子が水平方向に倒れる向きを制御できないために、そのままでは各液晶分子はランダムに倒れて水平に配列するので、表示ムラが目立つ、あるいは、各画素周辺部で液晶分子の配向が乱れて線欠陥（ディスクリネーション）が発生する問題点がある。
【０００７】
電極間に電界を印加したときに、垂直に立っていた液晶分子が倒れる方向を規制して均
一な表示状態とするには、電極間に電界を印加しない時に液晶分子が完全に垂直とはならずに垂直軸からわずかな角度だけ、すなわちプレチルト角だけ傾いて立っているようにすると共に、その傾きの方向の分布状態も各画素でほぼ同等にする必要がある。
【０００８】
そこで、上記したＶＡ方式の液晶表示装置の視野角を改善するために、特許文献１には、各基板の画素内に線状の突起構造や補助突起構造または凹んだ窪み・スリットを備えることで、一画素内に液晶の配向方向を規制する複数のドメイン規制手段を形成したＭＶＡ（Ｍｕｌｔｉ−ｄｏｍａｉｎ  Ｖｅｒｔｉｃａｌｌｙ  Ａｌｉｇｎｅｄ）方式が提案されている。しかしながら、従来のＭＶＡ方式の液晶表示装置では、液晶分子の傾斜状態が理想的な状態にすることが難しく、最適な表示状態が得られなかった。特に画素電極の周辺部分では、液晶分子が傾斜するときに、突起やスリットだけでなく画素電極のエッジ部の影響も受けるため、表示ムラ等が発生しやすい。
【０００９】
また、上記したＶＡ方式の問題点を改善する別の技術として、特許文献２には、共通電極の画素部の透明導電膜に、開口を設けることで、広い視角に渡って高いコントラストが得られ、相対的に高い輝度の液晶表示装置が開示されている（以下、この方法をスリットと略称する）。このスリット方式では、片側電極の一部をエッチングにより除去し、スリットを形成する。スリット部では、対向電極からの電気力線は、垂直ではなく、斜め方向に歪み、基板に垂直に配向した液晶分子の軸方向に対し、角度を持つことになり、スリット部を境に液晶分子の倒れる方向が分割される。これにより、画素部の共通電極をパターニングすることによって高視野角、応答速度、開口率の問題を改善している。透明導電膜を形成する材料は、酸化インジウム、酸化スズ、酸化亜鉛、酸化アンチモン、酸化ガリウムなどの混合酸化物が用いられる。
【００１０】
従来広く使われているＶＡ方式では、ＩＰＳ方式に比較して、携帯電話でＴＶを視聴するための応答速度が劣る問題点がある改善の要求が強い。更に、多機能化のため消費電力が大きくなる傾向にあり、その消費電力を落とす為、最大限にパネルの開口率を上げることが必要とされている。従来のカラーフィルタの問題点として、光線透過率が２５％程度と低い問題があり、光線透過率を上げる為にブラックマトリックスの線幅を小さくし、開口率を上げたパターンを形成しているが、混色防止や光漏れ防止、あるいはコントラス向上の点で限界がある。
【特許文献１】特開平１１−２４２２２５号公報
【特許文献２】特許第２５６５６３９号公報
【発明の開示】
【発明が解決しようとする課題】
【００１１】
本発明は上記事情を鑑みてなされたものであり、ＶＡ方式の液晶表示装置において、従来のブラックマトリックス（ＢＭ）パターンでも光透過率を上げることが可能となるカラーフィルタを提供することを課題としている。また、パネルを組んだときに輝度アップする、液晶配向乱れのない表示特性良好なＶＡ方式の液晶表示装置を提供することを課題としている。
【課題を解決するための手段】
【００１２】
本発明の請求項１に係る発明は、複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置でに用いられ、前記第２の基板としてブラックマトリックス（BM）で区画されるそれぞれの位置に多色化された着色画素開口部を有し、液晶の配向を
規制する為の配向規制手段として共通電極に複数のスリットを設けてあるカラーフィルタにおいて、前記スリットが、前記BM上と前記着色画素開口部に跨設されていることを特徴とするカラーフィルタである。
【００１３】
また、本発明の請求項２に係る発明は、複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、前記スリットが、前記BM上に配設されていることを特徴とするカラーフィルタである。
【００１４】
次に、本発明の請求項３に係る発明は、複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、前記スリットが、前記BM上にパターニングされた状態で配設されていることを特徴とするカラーフィルタである。
【００１５】
また、本発明の請求項４に係る発明は、複数の画素電極からなる透過部が形成されている第１の基板と、該複数の画素電極に対向する共通電極が形成されている第２の基板との間に、電界が印加されていない初期配向状態が垂直配向を呈する誘電異方性が負の液晶からなる液晶層を備えた液晶表示装置に用いられ、前記第２の基板としてブラックマトリックス（BM）で区画されるそれぞれの位置に多色化された着色画素開口部を有し、液晶の配向を規制する為の配向規制手段として共通電極に複数のスリットを設けてあるカラーフィルタにおいて、前記スリットが、前記BM上と前記着色画素開口部にパターニングされた状態で跨設されていることを特徴とするカラーフィルタである。
【００１６】
次に、本発明の請求項５に係る発明は、請求項１〜４のいずれか１項に記載するカラーフィルタであって、前記スリットが、前記着色画素開口部を取り囲む4辺のBM上に配置され、かつ、BM交点の4隅の１〜４箇所に、前記第１の基板と第２の基板の挟持間隔（セルギャップ）を保持するためのスペーサが配置されていることを特徴とするカラーフィルタである。
【００１７】
次に、本発明の請求項６に係る発明は、請求項１〜５のいずれか１項に記載するカラーフィルタを具備することを特徴とする液晶表示装置である。
【００１８】
また、本発明の請求項７に係る発明は、前記第１の基板の画素電極の画素中央部に、第２の基板のBMの辺に対して４５度の傾きで直交するパターンの、斜めスリットを有することを特徴とする、請求項６に記載する液晶表示装置である。
【発明の効果】
【００１９】
本発明のカラーフィルタは、スリットをＢＭ上に配置することにより、今までＢＭでカットされていた光を開口部の方へ向けることが出来、従来のBMパターンのカラーフィルタであっても、パネルとして組み立てたときに光透過率を上げることが可能となる。それによって、本発明によれば輝度の高いＶＡ方式の液晶表示装置を提供することが出来る。
【発明を実施するための最良の形態】
【００２０】
本発明のカラーフィルタ及び液晶表示装置を、一実施形態に基づいて以下に詳細に説明する。
【００２１】
図２は、本発明に係る、透過型の液晶表示装置の一例の概略断面図を示す。（ａ）は全体の構成を、（ｂ）は部分を拡大したものである。図２において、透過型の液晶表示装置７は、離間対向して配置された一対の透明基板である第1の基板１０および第２の基板２０を備え、それらの間には、液晶（ＬＣ）４０が封入されている。
【００２２】
第１の基板１０の内面には、ガラス等の透明基板１１に、ＴＦＴアレイ１６として、ゲート絶縁膜１２を介して走査線１３及び信号線１４がマトリックス状に配線されている。なお、図２（ｂ）では走査線１３は断面と平行となるため図示されない。走査線１３と信号線１４で囲まれる領域が一画素に相当し、この領域内にＩＴＯ等の透明導電性材料からなる画素電極１５が配置され、走査線１３と信号線１４の交差部には画素電極１５と接続するスイッチング素子である図示しないＴＦＴが形成されている。画素電極１５を覆って、その上には、配向膜１７が設けられ、配向膜１７には垂直配向処理が施されている。また、第１の透明基板１０の外面には、位相差フィルムを構成に含む偏光板１８が形成されている。
【００２３】
他方、第２の基板２０の内面には、ガラス等の透明基板２１に、本発明のカラーフィルタが形成されている。各画素を区切るようにＢＭ２２が形成され、各画素に対応してカラーフィルタを構成する赤色（Ｒ）、緑色（Ｇ）および青色（Ｂ）のうち何れか一色の着色画素開口部２３が配置されている。ＢＭ２２および着色画素開口部２３を覆って、必要に応じて透明保護膜としてのオーバーコート層２４（図示せず）が形成され、さらにその上に、例えばＩＴＯなどの透明電極からなる共通電極２５が形成される。共通電極２５には所定パターンのスリット２６が形成され、共通電極２５およびスリット２６を覆って配向膜２７が設けられて、配向膜２７には垂直配向処理が施されている。また、第２の基板２０の外面には、偏光板２８が形成されている。なお、偏光板１８の下方には、三波長ランプ５０を備えたバックライトユニット１９が設けられている。
【００２４】
なお、なお上記したスリットの形成は公知の方法で形成可能である。例えば、ＩＴＯの表面にポジ型レジストを塗布し、所望のパターンのフォトマスクを介して露光し、現像するウエットプロセスで作成することが可能である。また、ＩＴＯ膜下の有機材層に損傷を与えない例えば紫外線波長のエキシマレーザ光を用いたドライ方式でのパターニングでも作成可能である。
【００２５】
第1の基板１０と第２の基板２０の間には誘電異方性が負の液晶４０が介在する。そして、画素電極１５と共通電極２５の間に電界が生じないときは、液晶分子４１が配向膜１７，２７に規制されて垂直配列し、画素電極１５と共通電極２５の間に電界が発生したときは、液晶分子が水平方向に傾斜する。このときスリット２６上の液晶分子４１はＩＴＯ２６に規制されて所定の方向に傾斜することになる。
【００２６】
前述したように、第１の基板１０の外側、及び第2の基板２０の外側には、それぞれ偏光板１８，２８が配置され、それぞれの偏光板は互いの透過軸が直交するように設定されている。そして、画素電極１５と共通電極２５の間に電界が生じないときは、液晶分子が垂直配列するため、偏光板１８を通過した直線偏光の透過光が液晶層４０を直線偏光のまま通過して偏光板２８で遮断され、黒表示になる。また、画素電極１５に所定の電圧が印加されて画素電極１５と共通電極２５の間に電界が発生したときは、液晶分子が水平方向に傾斜するため、偏光板１８を通過した直線偏光の透過光が液晶層４０で楕円偏光になり、偏光板２８を通過して、白表示になる。
【００２７】
図３は、本発明のカラーフィルタの一例の画素部分を透視して表した概略平面図である。図３（ａ）は、各画素を区切るＢＭ２２が形成され、各画素に対応して赤色（Ｒ）、緑色（Ｇ）および青色（Ｂ）のうち何れか一色の着色画素開口部２３が配置されている状態を示し、図３（ｂ）はスリット２６の配置例を示す。スリット２６はＢＭ２２上に、着色画素開口部２３を囲むように、着色画素開口部２３の中心から点対象あるいは線対称になるように形成することが望ましいが、平行なＢＭの２辺中央であっても良い。スリットの長さを上下、左右でそろえることで、液晶分子が対称に並び、液晶分子の配向方向が３６０度にわたって広がっていることで、均等な視野拡大が得られる。すなわち、従来のＢＭパターンの設計であっても明るく、表示ムラや輝度ムラの少ない液晶表示装置がえられる。
【００２８】
また、図４（ａ）は、ＢＭ上にスリットを設けた場合の電気力線５の状態を説明するもので、ＢＭ２２上の共通電極２５のＩＴＯにエッチング等で穴を開け、電気力線５を傾けることで、今までＢＭ２２でカットされていた光を、着色画素開口部２３の方へ向けることが出来る。前述した特許文献２等に開示されているように、従来技術では、図４（ｂ）のように、ＩＴＯのエッチングホ−ル径１０μｍで液晶の配向に十分な角度がつくことが報告されている。例えばスリットを着色画素開口部に隣接するＢＭ上に１０μｍの幅で形成することによって、ＢＭの片側５μｍでカットされていた光は着色画素開口部へ導かれる。すなわち、ＢＭ上へのスリットの形成によって、図４（ｃ）に示すように、ＢＭ２２上のスリット（図示せず）に規制されて液晶分子４１が傾き、光を着色画素開口部２３方向に向けることで高視野角となり、パネルを組み立てたときに輝度アップとなる。
【００２９】
図５は、図３（ａ）のＸ−Ｘ’線に沿ったＢＭ周辺の拡大断面図で、（ａ）はＢＭ２２と着色画素開口部２３にスリット２６（図示せず）が跨設されている設計のカラーフィルタ、（ｂ）はＢＭ上にスリットが配設されている設計のカラーフィルタ、（ｃ）はＢＭ上にスリットがパターニングされた状態で配設されている設計のカラーフィルタ、（ｄ）はＢＭと着色画素開口部にスリットがパターニングされた状態で跨設されている設計のカラーフィルタを示す。
【００３０】
図６は、スリット２６が、着色画素開口部２３を取り囲む4辺のＢＭ２２上に配置され、かつ、ＢＭ交点の４隅にセルギャップを保持するためのスペーサ３０が配置されている一例のカラーフィルタの画素部分を拡大した概略平面図である。スペーサの存在は、従来のＶＡ突起と同様な作用を液晶に及ぼし、液晶の並び方に影響を及ぼすが、図６に示した例では、スリット２６とともにスペーサ３０が着色画素開口部の中心から点対象あるいは線対称に配置されていることで、左右・上下方向から等方に見え、視野拡大、表示ムラの抑制につながる。なお、スペーサは樹脂単独でも、ＲＧＢ着色層樹脂の積層であってもかまわない。なお、第２の基板の平面視である図６には、第１の基板に形成してある４５度の傾きをもつ斜めスリット２９を投影して図示した。また、スペーサの配置密度はＢＭ交点の４隅の１〜４箇所に全体として均等になるように配置することが望ましい。４隅のスペーサのうち、１〜３箇所のスペーサを高さの低いサブスペーサとしても良い。
【００３１】
さらに、第２基板として上記した本発明のカラーフィルタを具備した液晶表示装置において、第１の基板として、該基板の画素電極の中央部に、第２の基板のＢＭの辺に対して４５度の傾きで直交するパターンの、斜めスリット２９を有するものを用いることが効果的である。この透過型の液晶表示装置では、画素電極に対向する透過部分、すなわち着色画素開口部にＶＡ突起等がなく、画素電極を透過した光の一部が突起により吸収されることがなく、上述したスリット２９の効果で明るい液晶表示装置が得られる。しかも、画素電極中央部の十字型スリット２９によって液晶分子の配向方向が３６０度にわたって広がるため、ディスクリネーションの生成が少なく、表示ムラや輝度ムラが少なく、表示品質
の良好な液晶表示装置が得られる。
【実施例】
【００３２】
以下に、本発明の具体的実施例について説明する。
【００３３】
＜実施例１＞
透明ガラス基板上に、感光性黒色樹脂組成物をパターン加工して、図７（ａ）に示すように、ブラックマトリクスを形成した。ＢＭ線幅は、細い辺が５μｍ幅、太い辺が３４．５μｍ幅、開口部の寸法が横４２μｍ、縦１０６．５５μｍのセル状パターンであった。ここで、透過率は、開口部と遮光部だけを計算すると６７．５％となった。
【００３４】
次に、上記したＢＭ形成済みの基板上に、スピンコート法により、着色剤を配合しないアクリル系感光性着色組成物を均一に塗布し乾燥させる。次に、前記したＢＭのセル状パターンに対応する遮光パターンを具備するフォトマスクを介して紫外線を照射して露光した後、アルカリ水溶液の現像液を用いて現像し、最後に焼成して画素開口部を形成した。
【００３５】
次に、上記基板上に、ＩＴＯ層をスッパタリング法で１５０ｎｍ厚形成した。さらに
図７（ｂ）に示すように、画素開口部を取り囲むＢＭの太い辺の画素開口部に隣接する１０μｍのＩＴＯを、ウエットエッチング法を用いて除去し、スリットがＢＭ上に配設された実施例１の第２の基板を作成した。ここで、５μｍ幅のＢＭでカットされていた光が開口部に導かれるとすると、透過率は、開口部と遮光部だけを計算すると７３．８％となり、６．３％アップすることになる。
【００３６】
＜実施例２＞
透明ガラス基板上に、感光性黒色樹脂組成物をパターン加工して、図８（ａ）に示すように、ブラックマトリクスを形成した。ＢＭ線幅は、細い辺が５μｍ幅、太い辺が２０μｍ幅、開口部の寸法が横４２μｍ、縦１０６．５５μｍのセル状パターンであった。ここで、透過率は、開口部と遮光部だけを計算すると８３．７％となった。このＢＭ形成済みの基板上に、実施例１と同様にして、画素開口部を形成し、更にＩＴＯ層を形成した。
【００３７】
次に、図８（ｂ））に示すように、画素開口部を取り囲むＢＭの太い辺の中央部１０μｍ幅のＩＴＯを、ウエットエッチング法を用いて除去し、スリットがＢＭ上に配設された実施例２の第２の基板を作成した。ここで、中央で１０μｍ、片側で５μｍ幅のＢＭでカットされていた光が開口部に導かれるとすると、透過率は、開口部と遮光部だけを計算すると８７．６％となり、３．９％アップすることになる。
【００３８】
次に、得られた実施例１及び実施例２の第２の基板の上にポリイミド配向層を形成した。この第２の基板の他方の表面に偏光板を形成した。一方、別に用意したガラス基板の表面にＴＦＴアレイおよび画素電極を形成し、第１の基板即ちＴＦＴ基板とした。こうして準備された実施例１及び実施例２の着色していないカラーフィルタの第２の基板とＴＦＴ基板の第１の基板を、電極層同士が対面するよう対向させ、透明樹脂による柱状のスペーサを介して両基板の間隔を一定に保ちながら位置合わせし、液晶組成物注入用の開口部を残すように周囲を封止剤で封止した。次に、開口部から誘電異方性が負の液晶組成物を注入し、開口部を封止し液晶セルとした。更に偏光板を液晶セルの両面に貼り、液晶パネルとした。この液晶パネルをバックライトユニットと組み合わせて液晶表示装置を得た。本実施例で得られた白黒表示の液晶表示装置は、実施例１、実施例２共に良好な表示品質を示した。輝度はスリットが配設されていない第２基板を用いたものに比較して、実施例１では５％透過率がアップし、実施例２では３％アップした。
【図面の簡単な説明】
【００３９】
【図１】液晶駆動方式（ＴＮ、ＶＡ、ＩＰＳ方式）を説明する概念図。
【図２】本発明に係る、透過型の液晶表示装置の一例の概略断面図。
【図３】本発明のカラーフィルタの一例の画素部分の概略平面図。
【図４】スリットの液晶配向効果を説明する概略図。
【図５】図３のＸ−Ｘ’線に沿ったＢＭ周辺の拡大断面図。
【図６】本発明のカラーフィルタの他の例の画素部分の概略平面図。
【図７】実施例１の画素・ＢＭ形状、スリットを示す平面図。
【図８】実施例２の画素・ＢＭ形状、スリットを示す平面図。
【符号の説明】
【００４０】
１・・・カラーフィルタ    ５・・・電気力線    ７・・・液晶表示装置
１０・・・第１の基板（ＴＦＴ基板）    １１・・・透明基板
１２・・・ゲート絶縁膜    １３・・・走査線    １４・・・信号線
１５・・・画素電極    １６・・・ＴＦＴアレイ    １７・・・配向膜
１８・・・偏光板    １９・・・バックライト
２０・・・第２の基板（カラーフィルタ基板）    ２１・・・透明基板
２２・・・ブラックマトリックス    ２３・・・着色画素（開口部）
２４・・・オーバーコート２５・・・共通電極
２６・・・スリット    ２７・・・配向膜    ２８・・・偏光板
２９・・・（斜め、十字型）スリット    ３０・・・スペーサ
４０・・・液晶    ４１・・・液晶分子    ５０・・・三波長ランプ
【図１】
2010128045.tif 000003
【図２】
2010128045.tif 000004
【図３】
2010128045.tif 000005
【図４】
2010128045.tif 000006
【図５】
2010128045.tif 000007
【図６】
2010128045.tif 000008
【図７】
2010128045.tif 000009
【図８】
2010128045.tif 000010